(57)【特許請求の範囲】
【請求項１】
湾曲した外部開口部に折畳み扉を装着し、開口部を閉じた場合に床面に敷設した下レールとの間に隙間が発生しないように水密性を備えた折畳み扉装置において、パネル下端、主継手下端、及び従継手下端にはタイト材を取付け、そしてタイト材の基部から柔軟に湾曲する複数本のシール片が所定の間隔をおいて延び、一方、下レールには主継手下端の主ガイドが嵌る主ガイド溝と従継手下端の従ガイドが嵌る従ガイド溝を設けると共に間には仕切り片を起立し、上記タイト材の複数本のシール片の何れかが上記仕切り片に接するようにしたことを特徴とする水密性を備えた湾曲型折畳み扉装置。
【請求項２】
上記パネル下端、主継手下端、及び従継手下端には概略逆Ｔ型断面の下框カバー材を取付け、この下框カバー材の下部開口にはタイト材の基部から突出した２本のツメを嵌めて係止すると共に基部は下框カバー材の凹状化した滑らかな下面になじませ、そして、該基部から複数本のシール片を延ばした請求項１記載の水密性を備えた湾曲型折畳み扉装置。
【請求項３】
下框カバー材を概略逆Ｔ型断面とし、その中央凸部から延びる中央片の下端には概略Ｖ形の当接面を形成した当り部を設け、この当り面に開口に嵌って係止片に係止したツメを係合した請求項２記載の水密性を備えた湾曲型折畳み扉装置。
【請求項４】
湾曲した外部開口部に折畳み扉を装着し、開口部を閉じた場合に上部に敷設した上レールとの間に隙間が発生しないように水密性を備えた折畳み扉装置において、パネル上端、主継手上端、及び従継手上端にはタイト材を取付け、そしてタイト材の基部から柔軟に湾曲する複数本のシール片が所定の間隔をおいて延び、一方、上レールには主継手上端の主ガイドが嵌る主ガイド溝と従継手上端の従ガイドが嵌る従ガイド溝を設けると共に間には仕切り片を起立し、上記タイト材の複数本のシール片の何れかが上記仕切り片に接するようにしたことを特徴とする水密性を備えた湾曲型折畳み扉装置。
【請求項５】
上記タイト材を凸状の湾曲開口部と凹状の湾曲開口部に装着される折畳み扉に兼用できるように、基部から起立する２本のツメは該基部の側部に設けた請求項１、請求項２、請求項３、又は請求項４記載の水密性を備えた湾曲型折畳み扉装置。
【請求項６】
上記タイト材のシール片を３本とした請求項１、請求項２、請求項３、請求項４、又は請求項５記載の湾曲型折畳み扉装置。
【発明の詳細な説明】
【技術分野】
【０００１】
本発明は複数枚のパネルを連結した折畳み扉を対象とし、この折畳み扉を円弧状外部開口部に装着することで外部からの雨水の侵入を防止することが出来る折畳み扉装置に関するものである。
【背景技術】
【０００２】
折畳み扉とは複数枚のパネルが継手を介して連結し、その為に各パネルは折畳むことが出来るように構成されている。そこで、外部開口部（入口）にこの折畳み扉を装着して上記外部開口部を開閉することが出来る。すなわち、折畳み扉を伸長することで外部開口部を閉じることが出来、逆に折畳み扉を折畳むことで上記外部開口部を開くことが出来る。
【０００３】
外部開口部の上部には上レールが取付けられ、床面には下レールが敷設されている。折畳み扉はこの上レールと下レール間に装着され、上下レールに沿って移動することで外部開口部が閉じたり開いたりする。折畳み扉を構成するパネルは縦長の長方形板状態であって、複数枚のパネルは主継手と従継手を介して屈曲可能に連結している。
【０００４】
ところで、外部開口部が湾曲することで、取付けられる上レール及び下レールは直線状でなく凸状又は凹状に湾曲している。この湾曲した上レール及び下レールに折畳み扉を装着した場合、平板状の各パネルと上レール及び下レールとの間には隙間が発生する。そして、この隙間から風が吹き込み、雨水が侵入するといった問題が起きる。
【０００５】
図７は凸状に湾曲した開口部に折畳み扉（イ）を装着した場合を示している従来例であり、開口部の上部には上レール（ロ）が取付けられ、床面には下レール（ハ）が敷設されている。折畳み扉（イ）は吊車（ニ）を介して上レール（ロ）に吊設され、下レール（ハ）のガイド溝（ホ）にはガイド（ヘ）が遊嵌している。そして、上レール（ロ）及び下レール（ハ）の屋内側にはシール材（ト）、（ト）が沿設していて、外から侵入する雨水を遮断する対策が講じられている。
【０００６】
しかし、滑らかに湾曲している上下レール（ロ）、（ハ）に沿って装着される折畳み扉（イ）との間には同図（ｂ）に示すように必然的に隙間（チ）、（チ）・・・を発生し、完全な水密性を確保することは出来ない。勿論、上記シール材（ト）は軟質樹脂製又はゴム製であって、パネル（リ）、（リ）・・・が接することで変形することは可能である。
【０００７】
しかし、上下レール（ロ）、（ハ）に沿ってシール材（ト）、（ト）を沿設することで、折畳み扉（イ）を操作して開口部を開閉する場合にシール材（ト）、（ト）との間に摩擦が発生して大きな抵抗となり、折畳み扉（イ）の開閉操作に支障を来す。一方、繰り返しの開閉操作に伴って上記シール材（ト）、（ト）は摩耗したり、剥がれ落ちるといった問題が発生する。
【０００８】
特開平７−７１１７４号に係る「間口開閉扉の上下部密閉装置及び補助ガイド片」は、折畳み扉や引戸等の間口開閉部材の開閉操作がスムーズであって、水密性、気密性、遮音性の高い間口開閉部材の密閉装置である。
すなわち、上レール又は下レールに形成したガイド片の一部、時には片側ガイド片又は両側ガイド片の全長を削除して切欠き部とし、該切欠き部に補助ガイド片を回動可能に軸着し、補助ガイド片の一端には作動部を他端にはガイド部を形成し、いずれかに設けた重りの作用にて常時水平状態に保ち、パネルにはその上端又は下端から突出するロック部材を取着し、該ロック部材によって補助ガイド片を回動させてガイド部をパネル面に当接するよう構成している。
【０００９】
しかし、上記特開平７−７１１７４号に係る「間口開閉扉の上下部密閉装置及び補助ガイド片」は、一直線の上レール及び下レールに折畳み扉を装着する場合の密閉装置であり、本発明が対象とする湾曲開口部に装着する折畳み扉装置とは異なる。すなわち、本発明の場合は、湾曲開口部に取付けた上レール及び下レールは湾曲していて、この湾曲レールに折畳み扉を装着した場合である。
【特許文献１】特開平７−７１１７４号に係る「間口開閉扉の上下部密閉装置及び補助ガイド片」
【発明の開示】
【発明が解決しようとする課題】
【００１０】
このように、一直線を成す上下レールに折畳み扉を装着した場合の水密性を確保することは可能であるが、同じように構成した上下部密閉装置をもって円弧状に湾曲した外部開口部に装着した折畳み扉の水密性を確保することは出来ない。本発明が解決しようとする課題はこの問題点であり、湾曲した外部開口部を対象とし、この外部開口部に折畳み扉を装着すると共に上下レールとの間の水密性を備えた折畳み扉装置を提供する。
【課題を解決するための手段】
【００１１】
本発明は円弧状外部開口部に折畳み扉を装着する場合の水密性を確保する構造としている。そこで、折畳み扉としての基本構造は従来と同じく、複数枚のパネルが継手を介して折畳み出来るように連結している。そして、継手は上下レールから外れることのない主継手と折畳まれる場合には上下レールから外れる従継手を有し、主継手の上方には吊車が取付けられ、該吊車は上レールに載って移動することが出来る。
【００１２】
ところで、上記パネルの上端及び下端、及び継手部の上端及び下端にはタイト材を取付け、該タイト材は基部から複数本のシール片が所定の間隔をおいて延び、シール片は自由に湾曲することが出来る材質（例えば、軟質樹脂やゴム質）で構成されている。そして、上レール及び下レールには２本のガイド溝が形成され、それぞれのガイド溝には主継手に取付けたガイド、及び従継手に取付けたガイドが嵌っている。そして、両ガイド溝の仕切り片をタイト材のシール片が接するように構成している。
【発明の効果】
【００１３】
上レール及び下レールに設けたガイド溝は間に仕切り片が形成され、この仕切り片を挟むようにシール片が接することで、雨水の侵入が防止される。勿論、気密性も確保される。シール片は柔軟に湾曲する軟質樹脂で構成され、その為に湾曲した仕切り片に隙間なく接することが出来る。従って、外部からの雨水は上記シール片によって遮られるために屋内へ侵入することはない。上記タイト材には複数本のシール片が所定の間隔をおいて延びている為に、何れか２本のシール片によって仕切り片が挟まれ、湾曲した折畳み扉装置の全体にわたってシールすることが出来る。
【図面の簡単な説明】
【００１４】
【図１】湾曲開口部に折畳み扉を装着した外観図。
【図２】パネル下端に嵌めた下框カバー材にタイト材を取付けた場合。
【図３】下框カバー材にタイト材を取付ける工程。
【図４】タイト材のシール片が下レールの仕切り片に接している状態。
【図５】主継手及び従継手の下端部構造。
【図６】湾曲した下レールの仕切り片とシール片との関係を示す平面図。
【図７】湾曲開口部に装着した折畳み扉装置。
【発明を実施するための形態】
【００１５】
図１は凸状に湾曲した外部開口部１に折畳み扉２を装着した外観図を表す実施例である。折畳み扉２は複数枚のパネル３，３・・・を主継手４及び従継手５を介して連結し、凸状に湾曲した外部開口部１に装着されている。そして、折畳み扉２が伸長するならば外部開口部１を閉じ、また折畳み扉２を折畳むならば外部開口部１を開くことが出来る。基本的な構造並びに動作は従来の折畳み扉と共通している。
【００１６】
パネル３，３・・・を連結する主継手４の上端には吊車を有し、下端には主ガイドを設けていて、吊車は外部開口部１の上部に取付けた上レール６に載って移動し、主ガイドは床面に敷設した下レール７の主ガイド溝に遊嵌されて移動することが出来る。また、従継手の上下端にも従ガイドを取付け、これら従ガイドは上レール６及び下レール７の従ガイド溝を移動する。
【００１７】
ここで、上レール６及び下レール７は所定の曲率で湾曲しているが、折畳み扉は平坦な複数枚のパネル３，３・・・を連結したものであり、湾曲した上下レールと該パネル３，３・・・との間には必然的に隙間を発生する。ところで、本発明では、折畳み扉２の下端及び上端には３本のシール片を延ばしたタイト材を取付け、このシール片を上下レールの主ガイド溝と従ガイド溝間に起立した仕切り片に接することでシールする構造としている。
【００１８】
図２はパネル３の下端部を示す実施例であり、８は下框、９は下框カバー材、１０はタイト材をそれぞれ表し、下框８はパネル３を構成する枠体の一部材として構成され、一般にはアルミの押出し材が用いられている。この下框８の下部に形成している２本の脚１１，１１には下框カバー材９を取付けている。この下框カバー材９は概略逆Ｔ型断面を有した長尺材であって、その下側中央は開口している。
【００１９】
タイト材１０は基部１２から３本のシール片１３ａ，１３ｂ，１３ｃを延ばした長尺材であり、これら３本のシール片１３ａ，１３ｂ，１３ｃは所定の間隔を有している。そして、基部１２の上部には２本のツメ１４，１４を起立し、該ツメ１４，１４は下框カバー材９の下部に形成している開口１５に嵌って取付けられている。
【００２０】
ここで、パネル下框８の両脚１１，１１に嵌って取付けた下框カバー材９が外れないように、そして下框カバー材９の下部開口１５に嵌って取付けられたタイト材１０が外れないような取付け構造としている。図３（ａ）〜（ｄ）はタイト材１０を下框カバー材９に取付ける工程を示しているように、下框カバー材９の下部に形成した開口１５に２本のツメ１４，１４を嵌めて取付けることが出来る。
【００２１】
タイト材１０を下框カバー材９に取付ける前に、該下框カバー材９はパネル３の下框８に形成した２本の脚１１，１１に中央凸部１６が嵌合される。該中央凸部１６を両脚１１，１１の間に嵌合する場合、下部には開口１５が形成されていることで、中央凸部１６の両側に設けている側凸部１７，１７は内側へ撓むと共に該中央凸部１６の巾寸法が縮小して嵌合することが出来る。下框カバー材９は下方から押上げることで中央凸部１６は両脚１１，１１の間に嵌合して取付けられる。そして、一旦嵌合した中央凸部１６は両側に形成したツメ１８，１８が脚１１，１１の内側に設けた係止片１９，１９に係止して外れ落ちないようになる。
【００２２】
このように両脚１１，１１間に嵌って取付けられた下框カバー材９には、図３に示すようにタイト材１０が取付けられる。一方のツメ１４ｂを開口１５の両側に形成している係止片２０ｂに係止し、その後で他方のツメ１４ａを係止片２０ａに係止することで取付けられる。他方のツメ１４ａを係止片２０ａに係止する場合、タイト材１０を下方から押上げることで、係止片２０ａが撓み変形して係止することが出来る。
【００２３】
タイト材１０が取付けられた状態は図３（ｄ）に示すようになり、該タイト材１０は下框カバー材９から外れることはなく、しかも下框カバー材９は下框８の両脚１１，１１から一段と外れにくくなる。すなわち、タイト材１０の両ツメ１４ａ，１４ｂが開口１５に嵌って両係止片２０ａ，２０ｂに係止するならば、同時に中央凸部１６の上端から延びる中央片２１の先端に形成した当り部２２に当接する。
【００２４】
該当り部２２は概略Ｖ形の当接面を有し、上記開口１５に嵌って係止片２０ａ，２０ｂに係止したツメ１４ａ，１４ｂは、当り部２２のＶ形当接面に係合することで、両ツメ１４ａ，１４ｂの間隔は縮小することが出来ない為に、該タイト材１０が外れることはない。しかも、開口１５の幅が縮小しないことで、下框カバー材９の側凸部１７，１７が撓むことなく、その為にツメ１８，１８が係止片１９，１９から外れて中央凸部１６が下框８の両脚１１，１１から離脱することはない。
【００２５】
タイト材１０の基部１２は側凸部１７の下面に当接するが、該下面は平坦面ではなく滑らかな凹状面と成っていて、基部１２の上面は上記下面になじむ形状に湾曲しており、取付けたタイト材１０は安定する。そして、タイト材１０は基部１２の中央ではなく側部にツメ１４ａ，１４ｂを設けていて、その為に向きを反対側へ変えることも出来る。図２、図３に示すタイト材１０の取付け形態は、凸状に湾曲した外部開口部１に折畳み扉２を装着する場合であり、凹状に湾曲した外部開口部に装着する場合には、タイト材１０の向きを反対とする。
【００２６】
図４はパネル３の下端に取付けたタイト材１０によって下レール７との間に発生する隙間を塞いでいる場合を示している。下レール７には、主継手４の下端に取付けた主ガイドが嵌る主ガイド溝２３と従継手５の下端に取付けた従ガイドが嵌る従ガイド溝２４が設けられ、そして主ガイド溝２３と従ガイド溝２４との間には仕切り片２５が起立している。そこで、タイト材１０の基部１２から延びたシール片１３ｂとシール片１３ｃとで上記仕切り片２５の上端を挟み、シール片１３ｂは仕切り片２５の上端に接している。
【００２７】
従って、外から吹き込む雨水が該仕切り片２５を越えて内側へ侵入することが防止される。ここで、下レール７は湾曲し、その為に仕切り片２５も同じように湾曲している。３本のシール片１３ａ，１３ｂ，１３ｃは自由に撓み変形する材質（例えば軟質樹脂）で構成され、３本のうちの何れか１本のシール片１３が仕切り片２５の上端に接することが出来る。
【００２８】
図５は主継手４と従継手５の下端に設けたタイト材１０のシール片１３が下レール７の仕切り片２５と係合している状態を示している。このように、タイト材１０はパネル３の下端だけでなく主継手４及び従継手５の下端にも取付けられている。そして、従継手５の下端から延びたアーム２６には従ガイド２７が取付けられて従ガイド溝２４に嵌っている。一方、主継手４の下端から延びたアーム２６には主ガイド２８が取付けられて主ガイド溝２３に嵌っている。
【００２９】
折畳み扉２が伸長して開口部が閉じられている場合には、主ガイド２８は主ガイド溝２３に嵌り、従ガイド２７は従ガイド溝２４に嵌っているが、折畳まれる場合には、従ガイド２７は従ガイド溝２４から離脱する。ただし主ガイド２８は常に主ガイド溝２３に嵌った状態と成っている。このように、主継手４及び従継手５の下端にタイト材１０が取付けられることで、主ガイド２８及び従ガイド２７はタイト材１０のシール片１３ａ，１３ｂ，１３ｃの下方にアーム２６を介して取付けられている。
【００３０】
図６は湾曲した下レール７の仕切り片２５とタイト材１０のシール片１３ａ，１３ｂ，１３ｃの関係を示す平面図である。同図の太線で示す１３ａ，１３ｂ，１３ｃは各シール片を表し、湾曲した２本の点線で挟まれた領域は仕切り片２５の先端を現している。シール片１３ａ，１３ｂ，１３ｃはパネル下端はもとより、主継手４及び従継手５の下端にも取付けられ、湾曲している仕切り片２５の全長にわたって何れかのシール片１３ａ，１３ｂ，１３ｃが接している。
【００３１】
ところで、上記実施例ではパネル３、主継手４、及び従継手５の下端について説明したが、上端にも同じようにタイト材１０を取付けることが出来、上レール６との間に発生する隙間を防止出来る。そして、タイト材１０の取付け構造に関しては上記実施例に限定するものではなく、例えば、下框カバー材９を用いないでパネル下端に直接取付けることも可能である。
【００３２】
上記実施例では、タイト材１０のシール片は３本であるが、２本の場合もあり、又は４本の場合もある。すなわち、シール片１３ａ，１３ｂ・・・の本数は限定しないことにする。
【符号の説明】
【００３３】
１   外部開口部
２   折畳み扉
３   パネル
４   主継手
５   従継手
６   上レール
７   下レール
８   下框
９   下框カバー材
10   タイト材
11   脚
12   基部
13   シール片
14   ツメ
15   開口
16   中央凸部
17   側凸部
18   ツメ
19   係止片
20   係止片
21   中央片
22   当り部
23   主ガイド溝
24   従ガイド溝
25   仕切り片
26   アーム
27   従ガイド
28   主ガイド
【図２】
0006011781.tif 000002
【図３】
0006011781.tif 000003
【図４】
0006011781.tif 000004
【図５】
0006011781.tif 000005
【図６】
0006011781.tif 000006
【図７】
0006011781.tif 000007
【図１】
0006011781.tif 000008